(57)【要約】【課題】意匠性が高く、パネル本体の転倒及び回転を防止できるパネル体の提供。【解決手段】パネル本体１０と、パネル本体１０を支持する脚部２０と、を有するパネル体１であって、脚部２０は、パネル本体１０の内部に挿入された軸部２２と、軸部２２が固定され、パネル本体１０の外部に配置された脚部本体２１と、を有し、脚部本体２１には、パネル本体１０のパネル面の両面のいずれか一方に当接し、軸部２２を中心とするパネル本体１０の一方向の回転を止める第１の回り止め部３１と、パネル本体１０のパネル面の両面のいずれか一方に当接し、パネル本体１０の一方向とは逆方向の回転を止める第２の回り止め部３２と、が設けられている。【選択図】図３
2019078020.tif 000002
【特許請求の範囲】
【請求項１】
パネル本体と、前記パネル本体を支持する脚部と、を有するパネル体であって、
前記脚部は、
前記パネル本体の内部に挿入された軸部と、
前記軸部が固定され、前記パネル本体の外部に配置された脚部本体と、を有し、
前記脚部本体には、
前記パネル本体のパネル面の両面のうちいずれか一方に当接し、前記軸部を中心とする前記パネル本体の一方向の回転を止める第１の回り止め部と、
前記パネル本体のパネル面の両面のうちいずれか一方に当接し、前記パネル本体の前記一方向とは逆方向の回転を止める第２の回り止め部と、が設けられている、ことを特徴とするパネル体。
【請求項２】
前記第１の回り止め部及び前記第２の回り止め部は、前記パネル本体の周縁部に当接する、ことを特徴とする請求項１に記載のパネル体。
【請求項３】
前記第１の回り止め部及び前記第２の回り止め部は、前記周縁部の両面と略平行に延在し、かつ、前記周縁部の端面と略平行な接続部で互いに接続されている、ことを特徴とする請求項２に記載のパネル体。
【請求項４】
前記第１の回り止め部及び前記第２の回り止め部は、前記接続部から同一方向に立設し、前記接続部を底面とする係合凹部を形成している、ことを特徴とする請求項３に記載のパネル体。
【請求項５】
前記パネル本体の周縁部を覆う凹形状のカバー部と、
前記カバー部を前記係合凹部に連結させる連結部と、を有する、ことを特徴とする請求項４に記載のパネル体。
【請求項６】
前記脚部は、前記パネル本体の幅方向において間隔をあけて一対で設けられており、
前記一対の脚部のそれぞれの前記第１の回り止め部及び前記第２の回り止め部は、互いに対向する方向に延在している、ことを特徴とする請求項１〜５のいずれか一項に記載のパネル体。
【発明の詳細な説明】
【技術分野】
【０００１】
本発明は、パネル体に関するものである。
【背景技術】
【０００２】
オフィスや公共施設等の執務空間においては、執務者の視線を遮り執務者が集中できる環境を提供するため、間仕切り用のパネル体が設置されることがある。このようなパネル体として、例えば、下記特許文献１及び２には、パネル本体と、当該パネル本体を支持する脚部と、を有するパネルが開示されている。脚部は、パネル本体のパネル面の両面を挟み込むように設置され、パネル本体の転倒及び回転を防止するようになっている。
【先行技術文献】
【特許文献】
【０００３】
【特許文献１】特開２００３−９６９５３号公報
【特許文献２】特開２００７−３２０８５号公報
【発明の概要】
【発明が解決しようとする課題】
【０００４】
ところで、従来技術の脚部は、パネル本体の転倒及び回転を防止する強度部材であり、パネル本体のパネル面の両面に大きく現れ、かつ、執務者に無機質な印象を与えることから、パネル体の意匠性が劣るという問題があった。一方で、脚部のサイズを小さくすると、パネル本体の転倒及び回転を防止する強度を確保できなくなるおそれがあった。
【０００５】
本発明は、上記問題点に鑑みてなされたものであり、意匠性が高く、パネル本体の転倒及び回転を防止できるパネル体の提供を目的とする。
【課題を解決するための手段】
【０００６】
この発明に係るパネル体では、上記の課題を解決するために以下の構成を採用した。
この発明に係るパネル体は、パネル本体と、前記パネル本体を支持する脚部と、を有するパネル体であって、前記脚部は、前記パネル本体の内部に挿入された軸部と、前記軸部が固定され、前記パネル本体の外部に配置された脚部本体と、を有し、前記脚部本体には、前記パネル本体のパネル面の両面のうちいずれか一方に当接し、前記軸部を中心とする前記パネル本体の一方向の回転を止める第１の回り止め部と、前記パネル本体のパネル面の両面のうちいずれか一方に当接し、前記パネル本体の前記一方向とは逆方向の回転を止める第２の回り止め部と、が設けられている、ことを特徴とするものである。
この構成によれば、パネル本体の内部に挿入された脚部の軸部によって、パネル本体を内部から支えることで、パネル本体の転倒を防止することができる。また、パネル本体の内部に挿入された軸部は、外部から視えないため、高い意匠性を実現できる。また、パネル本体の回転を防止する機能は、パネル本体の外部に配置された脚部本体によって確保する。脚部本体には、パネル本体のパネル面の両面のうちいずれか一方に当接し、軸部を中心とするパネル本体の一方向の回転を止める第１の回り止め部と、パネル本体のパネル面の両面のうちいずれか一方に当接し、パネル本体の一方向とは逆方向の回転を止める第２の回り止め部と、が設けられている。第１の回り止め部及び第２の回り止め部は、パネル本体の転倒を防止する強度は必要なく、パネル本体の回転を防止する強度のみを確保できればよいため、そのサイズを小さくでき、外部から視ても目立たないようにすることができる。
【０００７】
また、この発明に係るパネル体において、前記第１の回り止め部及び前記第２の回り止め部は、前記パネル本体の周縁部に当接する、ことを特徴とするものである。
この構成によれば、第１の回り止め部及び第２の回り止め部が、パネル本体の周縁部に配設されるため、第１の回り止め部及び第２の回り止め部を、より目立たないようにすることができる。
【０００８】
また、この発明に係るパネル体において、前記第１の回り止め部及び前記第２の回り止め部は、前記周縁部の両面と略平行に延在し、かつ、前記周縁部の端面と略平行な接続部で互いに接続されている、ことを特徴とするものである。
この構成によれば、第１の回り止め部及び第２の回り止め部の間にパネル本体の周縁部を挿入した状態で、周縁部の端面と接続部とが略平行に当接可能となり、かつ、第１の回り止め部及び第２の回り止め部の間隔が接続部によって一定に保持されるため、第１の回り止め部及び第２の回り止め部が周縁部の両面に対して安定して当接することが可能となる。
【０００９】
また、この発明に係るパネル体において、前記第１の回り止め部及び前記第２の回り止め部は、前記接続部から同一方向に立設し、前記接続部を底面とする係合凹部を形成している、ことを特徴とするものである。
この構成によれば、パネル本体の周縁部を係合凹部に挿入した状態で、周縁部の端面と係合凹部の底面を形成する接続部とがほぼ同じ位置となるため、意匠性が良くなる。
【００１０】
また、この発明に係るパネル体において、前記パネル本体の周縁部を覆う凹形状のカバー部と、前記カバー部を前記係合凹部に連結させる連結部と、を有する、ことを特徴とするものである。
この構成によれば、パネル本体の周縁部を覆うカバー部を、係合凹部に連なるように連結することが可能になり、周縁部をカバー部で保護しつつ、意匠性も良くなる。
【００１１】
また、この発明に係るパネル体において、前記脚部は、前記パネル本体の幅方向において間隔をあけて一対で設けられており、前記一対の脚部のそれぞれの前記第１の回り止め部及び前記第２の回り止め部は、互いに対向する方向に延在している、ことを特徴とするものである。
この構成によれば、一対の脚部の形状がパネル本体の幅方向において左右対称になり、見た目もよく、パネル本体を安定して支持することが可能となる。
【発明の効果】
【００１２】
この発明によれば、意匠性が高く、パネル本体の転倒及び回転を防止できるパネル体が得られる。
【図面の簡単な説明】
【００１３】
【図１】本発明の実施形態におけるパネル体１の正面図である。
【図２】本発明の実施形態におけるパネル体１の右側面図である。
【図３】本発明の実施形態におけるパネル体１の脚部２０付近の分解斜視図である。
【図４】図１におけるＡ−Ａ断面図である。
【図５】図１におけるＢ−Ｂ断面図である。
【図６】本発明の一別実施形態におけるパネル体１Ａの正面図である。
【図７】本発明の一別実施形態におけるパネル体１Ａの脚部２０付近の分解斜視図である。
【図８】本発明の一別実施形態における（ａ）パネル体１Ｂを平面から視た概念図、（ｂ）パネル体１Ｃを平面から視た概念図である。
【発明を実施するための形態】
【００１４】
以下、本発明の実施形態について図面を参照して説明する。
【００１５】
図１は、本発明の実施形態におけるパネル体１の正面図である。図２は、本発明の実施形態におけるパネル体１の右側面図である。
パネル体１は、例えば、不図示の執務空間内を区画するために使用されるパネル体であって、図１に示すように、パネル本体１０と、パネル本体１０を支持する一対の脚部２０と、を有する。
【００１６】
なお、以下の説明においては、ＸＹＺ直交座標系を設定し、このＸＹＺ直交座標系を参照しつつ各部材の位置関係について説明することがある。水平面内の所定方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。
【００１７】
パネル本体１０は、鉛直方向（Ｚ軸方向）に延びる長方形状に形成されている。パネル本体１０には、複数の貫通孔１０ａが形成されている。複数の貫通孔１０ａは、パネル本体１０の上部であって、その幅方向（Ｘ軸方向）の両端部を除く領域に形成されている。貫通孔１０ａは、パネル本体１０の厚み方向（Ｙ軸方向）において、パネル本体１０のパネル面を形成する正面１０Ａから背面１０Ｂにかけて貫通している。このパネル本体１０の周縁部１０ｂは、該周縁部１０ｂ以外の部分に比べて厚み寸法が小さくなっている。
【００１８】
パネル本体１０は、例えば、二枚の不織布シートを貼り合せて構成されている。当該不織布シートの表面層は、例えばポリエステル布帛であり、内部のクッション層は、例えばポリエステル固綿ボードであり、その両者は、例えばポリエステル系バインダー不織布を介して一体化されている。このような不織布シートは、不織布特有の有機的で温かみのある印象を醸し出すため意匠性が高い。
【００１９】
なお、不織布シートを構成する繊維としては、上述したポリエステルの他に、ポリプロピレン、ポリエチレン等からなる繊維、ガラス繊維、ナイロン繊維、炭素繊維、アラミド繊維等が挙げられる。加飾、成形性、風合い、入手性に優れている点から、不織布シートを構成する繊維としては、ポリエステル繊維、ナイロン繊維またはポリプロピレン繊維が好ましい。また、不織布シート同士を接着する接着層としては、例えばホットメルトを含むポリエステル、ポリエチレンやポリアミド等の不織布が好ましい。
【００２０】
パネル本体１０には、中空部１３が形成されている。中空部１３は、断面視四角形状を有し、パネル本体１０の長手方向（Ｚ軸方向）に延在している。中空部１３は、図１に示すように、パネル本体１０の長手方向に沿って直線状に形成されている。中空部１３の寸法は、パネル本体１０の長手方向において、パネル本体１０の寸法よりも僅かに小さくなっている。すなわち、中空部１３は、パネル本体１０の長手方向において、パネル本体１０を貫通していない。中空部１３は、パネル本体１０の下端部に開口端１３ａを有する。開口端１３ａが形成される領域においては、周縁部１０ｂが一部切り欠かれている（後述する図３参照）。
【００２１】
対して、一対の脚部２０は、金属製であり、図１に示すように、パネル本体１０の幅方向の両端部を支持する。一対の脚部２０のそれぞれは、パネル本体１０の外部に配置された脚部本体２１と、脚部本体２１から上方に延在し、パネル本体１０の内部に挿入される軸部２２と、を有する。脚部本体２１は、図２に示すように、軸部２２が固定される固定部２１ａと、固定部２１ａからパネル本体１０の正面１０Ａ側に延在する前脚部２１ｂと、固定部２１ａからパネル本体１０の背面１０Ｂ側に延在する後脚部２１ｃと、を有する。
【００２２】
前脚部２１ｂ及び後脚部２１ｃのそれぞれの先端部には、床面に接地するアジャスター２３が取り付けられている。アジャスター２３は、例えば、前脚部２１ｂ及び後脚部２１ｃに螺合可能なネジ部を備え、当該ネジ部を回転させることにより、パネル体１の不陸を調整することが可能な構成となっている。
【００２３】
軸部２２は、図２に示すように、脚部本体２１の長手方向（Ｙ軸方向）の中央部（固定部２１ａ）から上方に向かって立設している。軸部２２は、例えば、中空の四角柱であり、パネル本体１０の内部に形成された中空部１３に挿入されている。この軸部２２の寸法は、パネル本体１０の厚み方向（Ｙ軸方向）において、パネル本体１０の正面１０Ａから背面１０Ｂまでの寸法よりも小さくなっている。
【００２４】
また、脚部本体２１には、図１に示すように、パネル本体１０の下端辺を形成する周縁部１０ｂに係合する係合凹部２４が設けられている。係合凹部２４は、軸部２２を軸としたパネル本体１０と脚部本体２１との相対回転を規制する回り止めとして機能する。周縁部１０ｂの一対の脚部２０の係合凹部２４の間には、カバー部２５が取り付けられている。
【００２５】
図３は、本発明の実施形態におけるパネル体１の脚部２０付近の分解斜視図である。図４は、図１におけるＡ−Ａ断面図である。図５は、図１におけるＢ−Ｂ断面図である。
図３に示すように、係合凹部２４は、脚部本体２１の固定部２１ａの上端面と平行にＸ軸方向に沿って延在している。なお、固定部２１ａの上端面には、軸部２２を固定する固定孔２１ａ１が形成されている。
【００２６】
係合凹部２４には、パネル本体１０のパネル面の両面のいずれか一方（例えば背面１０Ｂ）に当接し、軸部２２を中心とするパネル本体１０の一方向（例えば平面視時計回り）の回転を止める第１の回り止め部３１と、パネル本体１０のパネル面の両面のいずれか一方（例えば正面１０Ａ）に当接し、パネル本体１０の一方向とは逆方向（例えば平面視反時計回り）の回転を止める第２の回り止め部３２と、が設けられている。
【００２７】
すなわち、パネル本体１０が不織布から形成されていると、断面視四角形状の中空部１３に、四角柱形状の軸部２２を挿入したとしても、軸部２２を軸としたパネル本体１０と脚部本体２１との相対回転が発生することがあり、このような回転を規制する必要がある。図４に示すように、第１の回り止め部３１及び第２の回り止め部３２は、パネル本体１０の周縁部１０ｂに当接するようになっている。周縁部１０ｂは、厚み寸法が当該周縁部１０ｂ以外の部分よりも小さく、強度があるため、回り止めするのに適している。
【００２８】
第１の回り止め部３１及び第２の回り止め部３２は、周縁部１０ｂの正面１０Ａ及び背面１０Ｂと略平行に延在している。また、第１の回り止め部３１及び第２の回り止め部３２は、周縁部１０ｂの端面１０ｂ１と略平行な接続部３３で互いに接続されている。第１の回り止め部３１及び第２の回り止め部３２は、接続部３３から同一方向（鉛直方向上方）に立設し、接続部３３を底面とする係合凹部２４を形成している。
【００２９】
本実施形態の第１の回り止め部３１及び第２の回り止め部３２の上端部３１ａ，３２ａは、互いに対向する方向に屈曲し、周縁部１０ｂが挿入される係合凹部２４の開口部を形成している。上端部３１ａ，３２ａの上面には、それぞれの先端に向かって下方に傾斜する傾斜面３１ｂ，３２ｂが形成されている。傾斜面３１ｂ，３２ｂは、パネル本体１０の周縁部１０ｂを係合凹部２４の開口部に挿入し易くする誘い機能を有する。
【００３０】
上端部３１ａ，３２ａの下側には、空間Ｓ１，Ｓ２が形成される。空間Ｓ１，Ｓ２には、図３に示す連結部３４が配設されている。連結部３４は、長方形状の板体であり、係合凹部２４の先端から係合凹部２４の長手方向（Ｘ軸方向）に突出するように設けられている。連結部３４は、第１の回り止め部３１及び第２の回り止め部３２のそれぞれの内向き内面に別部材として取り付けてもよいし、第１の回り止め部３１及び第２の回り止め部３２と一体で形成してもよい。
【００３１】
カバー部２５は、樹脂製であり、パネル本体１０の周縁部１０ｂを覆う凹形状を有する。カバー部２５は、図５に示すように、上述した係合凹部２４と同様の凹形状を有する。すなわち、カバー部２５は、第１の壁部４１及び第２の壁部４２は、周縁部１０ｂの正面１０Ａ及び背面１０Ｂと略平行に延在し、かつ、周縁部１０ｂの端面１０ｂ１と略平行な接続部４３で互いに接続されている。また、第１の壁部４１及び第２の壁部４２は、接続部４３から同一方向（鉛直方向上方）に立設し、接続部４３を底面とする凹形状を形成している。
【００３２】
第１の壁部４１及び第２の壁部４２の上端部４１ａ，４２ａは、互いに対向する方向に屈曲し、周縁部１０ｂを厚み方向で挟み込んでいる。上端部４１ａ，４２ａの上面には、それぞれ傾斜面４１ｂ，４２ｂが形成されており、周縁部１０ｂを誘い込みやすくなっている。上端部４１ａ，４２ａの下側には、空間Ｓ３，Ｓ４が形成されている。これら空間Ｓ３，Ｓ４に、連結部３４が挿入される（図３及び図５参照）。
【００３３】
空間Ｓ３，Ｓ４に連結部３４が挿入されることで、図１に示すように、係合凹部２４とカバー部２５とがＸ軸方向において連結する。一対の脚部２０は、パネル本体１０の幅方向において間隔をあけて配設されており、カバー部２５の両端部は、一対の脚部２０の互いに対向する方向に延在する係合凹部２４のそれぞれの先端部と連結されている。
【００３４】
上記構成のパネル体１によれば、図１〜図３に示すように、パネル本体１０の内部に挿入された軸部２２によって、パネル本体１０を内部から支えることで、パネル本体１０の転倒を防止することができる。また、パネル本体１０の内部に挿入された軸部２２は、外部から視えないため、高い意匠性を実現できる。また、パネル本体１０の回転を防止する機能は、パネル本体１０の外部に配置された脚部本体２１によって確保する。すなわち、パネル本体１０の転倒を防止する機能（強度）は、軸部２２が担当し、軸部２２はパネル本体１０の外部に露見しないようする。
【００３５】
図３及び図４に示すように、脚部本体２１には、パネル本体１０のパネル面の背面１０Ｂに当接し、軸部２２を中心とするパネル本体１０の一方向の回転を止める第１の回り止め部３１と、パネル本体１０のパネル面の正面１０Ａに当接し、パネル本体１０の一方向とは逆方向の回転を止める第２の回り止め部３２と、が設けられている。第１の回り止め部３１及び第２の回り止め部３２は、パネル本体１０の転倒を防止する強度は必要なく、パネル本体１０の回転を防止する強度のみを確保できればよいため、そのサイズを小さくでき、外部から視ても目立たないようにすることができる。
【００３６】
また、本実施形態では、図３及び図４に示すように、第１の回り止め部３１及び第２の回り止め部３２は、パネル本体１０の周縁部１０ｂに当接する。この構成によれば、第１の回り止め部３１及び第２の回り止め部３２（係合凹部２４）が、図１に示すように、パネル本体１０の下端辺を形成する周縁部１０ｂに配設されるため、第１の回り止め部３１及び第２の回り止め部３２を、より目立たないようにすることができる。このため、意匠性が高く、パネル本体１０の転倒及び回転を防止できるパネル体１が得られる。
【００３７】
また、本実施形態では、図４に示すように、第１の回り止め部３１及び第２の回り止め部３２は、周縁部１０ｂの正面１０Ａ及び背面１０Ｂと略平行に延在し、かつ、周縁部１０ｂの端面１０ｂ１と略平行な接続部３３で互いに接続されている。この構成によれば、第１の回り止め部３１及び第２の回り止め部３２の間にパネル本体１０の周縁部１０ｂを挿入した状態で、周縁部１０ｂの端面１０ｂ１と接続部３３とが略平行に当接可能となり、かつ、第１の回り止め部３１及び第２の回り止め部３２の間隔が接続部３３によって一定に保持されるため、第１の回り止め部３１及び第２の回り止め部３２が周縁部１０ｂの正面１０Ａ及び背面１０Ｂに対して安定して当接することが可能となる。
【００３８】
さらに、本実施形態では、図４に示すように、第１の回り止め部３１及び第２の回り止め部３２は、接続部３３から同一方向に立設し、接続部３３を底面とする係合凹部２４を形成している。この構成によれば、パネル本体１０の周縁部１０ｂを係合凹部２４に挿入した状態で、周縁部１０ｂの端面１０ｂ１と係合凹部２４の底面を形成する接続部３３とがほぼ同じ位置となるため、意匠性が良くなる。また、第１の回り止め部３１、第２の回り止め部３２及び接続部３３が接続されているため、これら全体で強度が高くなり、接続部３３が無い場合よりも、第１の回り止め部３１及び第２の回り止め部３２は小型化かつ軽量化することが可能となる。
【００３９】
また、本実施形態では、図３に示すように、パネル本体１０の周縁部１０ｂを覆う凹形状のカバー部２５と、カバー部２５を係合凹部２４に連結させる連結部３４と、を有する。この構成によれば、図１に示すように、パネル本体１０の周縁部１０ｂを覆うカバー部２５を、係合凹部２４に連なるように連結することが可能になり、周縁部１０ｂをカバー部２５で保護しつつ、意匠性も良くなる。
【００４０】
また、本実施形態では、図１に示すように、脚部２０は、パネル本体１０の幅方向において間隔をあけて一対で設けられており、一対の脚部２０のそれぞれの第１の回り止め部３１及び第２の回り止め部３２は、互いに対向する方向に延在している。この構成によれば、一対の脚部２０の形状がパネル本体１０の幅方向において左右対称になり、見た目もよく、パネル本体１０を安定して支持することが可能となる。
【００４１】
このように、上述の本実施形態によれば、パネル本体１０と、パネル本体１０を支持する脚部２０と、を有するパネル体１であって、脚部２０は、パネル本体１０の内部に挿入された軸部２２と、軸部２２が固定され、パネル本体１０の外部に配置された脚部本体２１と、を有し、脚部本体２１には、パネル本体１０のパネル面の正面１０Ａ及び背面１０Ｂのうち少なくともいずれか一方に当接し、軸部２２を中心とするパネル本体１０の一方向の回転を止める第１の回り止め部３１と、パネル本体１０の一方向とは逆方向の回転を止める第２の回り止め部３２と、が設けられている、という構成を採用することによって、意匠性が高く、パネル本体１０の転倒及び回転を防止できるパネル体１が得られる。
【００４２】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４３】
例えば、本発明は、次のような形態を採用し得る。なお、以下の説明において、上述の実施形態と同一又は同等の構成については同一の符号を付し、その説明を簡略若しくは省略する。
【００４４】
図６は、本発明の一別実施形態におけるパネル体１Ａの正面図である。図７は、本発明の一別実施形態におけるパネル体１Ａの脚部２０付近の分解斜視図である。
例えば、図６に示すパネル体１Ａのように、一対の脚部２０から互いに相反する方向に延在する第２の係合凹部２６を備えてもよい。第２の係合凹部２６は、図７に示すように、固定部２１ａから上述した係合凹部２４と左右対称に延在している。なお、第２の係合凹部２６の先端は、パネル本体１０の幅方向両端から外側に突出しないようになっている。
【００４５】
第２の係合凹部２６は、パネル本体１０のパネル面のいずれか一方（例えば背面１０Ｂ）に当接し、軸部２２を中心とするパネル本体１０の一方向（例えば平面視反時計回り）の回転を止める第１の回り止め部５１と、パネル本体１０のパネル面のいずれか一方（例えば正面１０Ａ）に当接し、パネル本体１０の一方向とは逆方向（例えば平面視時計回り）の回転を止める第２の回り止め部５２と、第１の回り止め部５１及び第２の回り止め部５２とを接続する接続部５３と、を有する。但し、第２の係合凹部２６は、上述した係合凹部２４と異なり、連結部３４を有していない。
【００４６】
図８は、本発明の一別実施形態における（ａ）パネル体１Ｂを平面から視た概念図、（ｂ）パネル体１Ｃを平面から視た概念図である。
例えば、図８（ａ）に示すパネル体１Ｂのように、板状の第１の回り止め部６１及び第２の回り止め部６２を備えてもよい。第１の回り止め部６１及び第２の回り止め部６２は、上述したように凹形状となって互いに接続されておらず、脚部２０の脚部本体２１などからそれぞれ立設し、パネル本体１０の正面１０Ａ及び背面１０Ｂに当接可能に対向している。このような構成であっても、軸部２２を中心とするパネル本体１０の回転（平面視時計回り、反時計回りのいずれも）を止めることができる。この構成であれば、どちらの方向の回転についても第１の回り止め部６１及び第２の回り止め部６２の両方で止めることができるため、軸部２２を中心とするパネル本体１０の回転を止める効果が高くなる。
【００４７】
また、例えば、図８（ｂ）に示すパネル体１Ｃのように、板状の第１の回り止め部７１及び第２の回り止め部７２のそれぞれが、パネル本体１０のパネル面の両面のいずれか一方（図８（ｂ）の例では、正面１０Ａ）のみに当接可能に配置されていてもよい。この場合であっても、第１の回り止め部７１及び第２の回り止め部７２を、パネル本体１０の幅方向（Ｘ軸方向）において、軸部２２の中心を挟んで配置することで、軸部２２を中心とするパネル本体１０の回転（平面視時計回り、反時計回りのいずれも）を止めることができる。なお、第１の回り止め部７１及び第２の回り止め部７２を一枚板で形成し、両者を接続してもよく、この構成であっても、軸部２２を中心とするパネル本体１０の回転（平面視時計回り、反時計回りのいずれも）を止めることができる。また、この構成であれば、パネル本体１０の一方の面（図８（ｂ）の例では、正面１０Ａ）のみに回り止め部が現れるため、他方の面（図８（ｂ）の例では、背面１０Ｂ）では部材が見えず、すっきりした面とすることができる。また、正面１０Ａと背面１０Ｂとで全く異なる見た目とすることができる。
【００４８】
また、例えば、上記実施形態では、パネル本体が不織布からなる、と説明したが、パネル体がプラスチックパネルや金属パネルなどからなる構成であってもよい。また、パネル本体に形成された中空部及び脚部の軸部も円柱状であってもよい。
【００４９】
また、例えば、上記実施形態では、第１の回り止め部及び第２の回り止め部がパネル本体の下端辺を形成する周縁部と当接する、と説明したが、第１の回り止め部及び第２の回り止め部がパネル本体の上端辺若しくは、左右の側端辺の少なくともいずれか一つを形成する周縁部と当接する構成であってもよい。
【符号の説明】
【００５０】
１  パネル体
１Ａ  パネル体
１Ｂ  パネル体
１Ｃ  パネル体
１０  パネル本体
１０Ａ  正面
１０Ｂ  背面
１０ｂ  周縁部
１０ｂ１  端面
２０  脚部
２１  脚部本体
２２  軸部
２４  係合凹部
２５  カバー部
３１  第１の回り止め部
３２  第２の回り止め部
３３  接続部
３４  連結部
５１  第１の回り止め部
５２  第２の回り止め部
５３  接続部
６１  第１の回り止め部
６２  第２の回り止め部
７１  第１の回り止め部
７２  第２の回り止め部
【図１】
2019078020.tif 000003
【図２】
2019078020.tif 000004
【図３】
2019078020.tif 000005
【図４】
2019078020.tif 000006
【図５】
2019078020.tif 000007
【図６】
2019078020.tif 000008
【図７】
2019078020.tif 000009
【図８】
2019078020.tif 000010